(57)【要約】      （修正有）【課題】ＩＣカード等のやや厚めのカード体を損傷することなく確実に払い出すことができると共に、多数のカード体を簡単且つ短時間に積載及び収納可能とし、管理上の利便性を図ることができるカード体の払い出し装置を提供する。【解決手段】送り出し装置は、ファン装置１１８に吸着されたカード体Ｃの上面に当接して当該カード体を払い出し口の方向に移動させるゴム製のタイヤ１６０と、該タイヤにより移動されてきた当該カード体を上面及び下面から挟み込んで払い出し口に送り出す１対のローラ（払い出しローラ１２２及び払い出し補助ローラ１２２ａ）と、払い出し補助ローラ１２２ａに当接し、当該カード体が払い出し口の方向に移動される時に当該カード体の下面に接触する反転ローラ１６２と、タイヤ１６０及び払い出しローラ１２２を同じ方向に回転駆動する手段（払い出しローラ駆動モータ１２０及びベルト１６４）とを有している。【選択図】図６
2007031161.tif 000002
【特許請求の範囲】
【請求項１】
複数のカード体を積み重ねて収納するカセットと、
該カセット内の前記複数のカード体を上方に移送するリフト手段と、
該リフト手段によって移送される前記複数のカード体のうち最も上のカード体を吸着するための開口を有する吸引手段と、
該吸引手段に吸着されたカード体を吸着力に抗して払い出し方向に送り出す送り出し手段とを備え、前記カセットが前記リフト手段に対して着脱自在となっているカード体の払い出し装置において、
前記送り出し手段は、前記吸引手段に吸着されたカード体の上面に当接して当該カード体を前記払い出し口の方向に移動させるタイヤと、該タイヤにより移動されてきた当該カード体を上面及び下面から挟み込んで前記払い出し口に送り出す第１及び第２のローラと、該第２のローラに当接し、当該カード体が前記払い出し口の方向に移動される時に当該カード体の下面に接触する第３のローラと、前記タイヤ及び前記第１のローラを同じ方向に回転駆動する手段とを有することを特徴とするカード体の払い出し装置。
【請求項２】
払い出されるべきカード体が前記第１及び第２のローラの間に挟み込まれた時に前記吸引手段の吸着動作を停止させるスイッチを更に備えることを特徴とする請求項１に記載のカード体の払い出し装置。
【請求項３】
前記吸引手段がファン装置であることを特徴とする請求項１または請求項２に記載のカード体の払い出し装置。
【発明の詳細な説明】
【技術分野】
【０００１】
本発明は、カード体を１枚ずつ払い出すための払い出し装置に関し、より詳細には、透明なフィルムで包装されたＩＣカードや説明書付きのクレジット・カードなどやや厚めのカード体を損傷することなく確実に１枚１枚払い出すのに適応された払い出し装置に関する。
【背景技術】
【０００２】
従来から種々のカード払い出し装置が開発されてきている。例えば、本件出願人によるカード払い出し装置として実願昭６３−６０１４７号がある。なお、この出願は米国特許第４，９９３，５８９号として既に登録されている。この出願の明細書には、テレフォン・カード等の薄いカードの払い出し装置が開示されている。この従来の装置構成では、テレフォン・カード等の薄いカードを払い出すためにゴムローラが使用されている。そして、薄いカードを扱っているため、カードの重ね出し、例えば２枚出しを防止するように考案されている。
【０００３】
【特許文献１】米国特許第４，９９３，５８９号
【発明の開示】
【発明が解決しようとする課題】
【０００４】
上述したように、従来のカード払い出し装置では、主としてテレフォン・カード等の薄いカードのみの払い出しを考慮していたため、例えば透明なフィルムで包装されたＩＣカードや説明書付きのクレジット・カードなどやや厚めのカード体については、１枚１枚確実に払い出せるようには適応されていなかった。また、カードを払い出すためにゴムローラが使用されていたため、仮に、上記の厚めのカード体を払い出そうとすると、場合によっては包装フィルム等が損傷するといった不都合も十分に予想される。また、上述した従来の装置を含め、これまでに知られているカード払い出し装置では、複数のカードを収納する部分（カセット）が装置本体に組み込まれる形で構成されていたため、カードの大きさや種類等を変更したい場合にはその都度その変更に応じた対応（例えば設計変更等）を行わねばならず、管理上の観点から改善が要求されていた。本発明は、かかる従来技術における課題に鑑み創作されたもので、透明なフィルムで包装されたＩＣカード等のやや厚めのカード体を損傷することなく確実に１枚ずつ払い出すことができると共に、多数のカード体を簡単に且つ短時間に積載及び収納可能とし、ひいては管理上の利便性を図ることができるカード体の払い出し装置を提供することを目的とする。
【課題を解決するための手段】
【０００５】
上述した従来技術の課題を解決するため、本発明によれば、複数のカード体を積み重ねて収納するカセットと、該カセット内の前記複数のカード体を上方に移送するリフト手段と、該リフト手段によって移送される前記複数のカード体のうち最も上のカード体を吸着するための開口を有する吸引手段と、該吸引手段に吸着されたカード体を吸着力に抗して払い出し口の方向に送り出す送り出し手段とを備え、前記カセットが前記リフト手段に対して着脱自在となっているカード体の払い出し装置において、 前記送り出し手段は、前記吸引手段に吸着されたカード体の上面に当接して当該カード体を前記払い出し口の方向に移動させるタイヤと、該タイヤにより移動されてきた当該カード体を上面及び下面から挟み込んで前記払い出し口に送り出す第１及び第２のローラと、該第２のローラに当接し、当該カード体が前記払い出し口の方向に移動される時に当該カード体の下面に接触する第３のローラと、前記タイヤ及び前記第１のローラを同じ方向に回転駆動する手段とを有することを特徴とするカード体の払い出し装置としたものである。
【発明の効果】
【０００６】
本発明に係るカード体の払い出し装置の構成によれば、リフト手段によって上方に移送される複数のカード体のうち最も上のカード体を上から吸着し、送り出し手段によって払い出し口の方向に送り出すようにしているので、当該カード体を損傷することなく確実に１枚ずつ払いだすことができる。また、カセットがリフト手段に対して着脱自在となっているので、例えばカード体の大きさを変更したい場合にはその大きさに応じた別のカセットを予め準備しておくことで、従来のような煩雑な対応を行うことなく、カセット内に多数のカード体を簡単に且つ短時間に積載及び収納することが可能となる。これは、管理上の利便性を図ることに大いに寄与する。
【実施例】
【０００７】
以下、本発明の具体的な実施の形態について、添付の図面を参照しながら説明する。
図１は本発明の一実施形態に係るカード体の払い出し装置の外観構成を示したものであり、図２は本装置の内部構成を一部切り欠いて概略的に示したものであり、図３は本装置からカセットを取り外した状態を示したものであり、図４はカセットとリフト手段の構成を概略的に示したものであり、図５はリフト手段を構成するリフト駆動機構の要部の構成を示したものであり、図６は吸引手段と送り出し手段の構成を概略的に示したものである。
図１において、１００は本実施形態に係る払い出し装置、１０２はカセット収納ドア、１０４はカセット収納ドア１０２の開閉を行うためのキー（図示せず）を受け入れるキー挿入口、１０６は本装置１００の一部を構成するサイド板を示し、対向するサイド板（図示せず）と１対になっている。また、１０８は各サイド板１０６の対向する位置に上下方向に形成された縦長孔、１１０はリフト手段の一部を構成し、対応する縦長孔１０８に沿って上下方向に移動される樹脂製のラック板（フレキシブルラック）、１１２はリフト手段の主要部を構成し、各フレキシブルラック１１０の上下方向の移動を制御するリフト用モータ、１１４はフレキシブルラック１１０の収納パイプ、１１６は各フレキシブルラック１１０に係合するギヤ機構（後述）とリフト用モータ１１２との機械的結合及びその解除を操作するためのレバーを示す。
【０００８】
また、図２において、１１８は吸引手段を構成し、その下部にカード体を吸着するための開口を有しているファン装置（吸着用ファンモータ）、１２０は払い出しローラを駆動するためのモータ、１２２は払い出し時にカード体の上面に当接する払い出しローラ、１２４はモータや各電気回路等を制御するための制御基板（図示せず）を固定するための部材、１２６はリフト手段の一部を構成するリフト用フレーム、１２８はリフト用フレーム１２６の対向する側壁部の内面に水平方向に形成された溝部を示す。
【０００９】
図３は本装置からカセットを取り外した状態を示したもので、１３０で示す部分が、取り外されたカセットを示す。このカセット１３０は複数のカード体を積み重ねて収納するものである。このカセット１３０は、図４に示すように、角形の筒状で、対向する側面にそれぞれ上下方向に平行して２つの縦長孔１３８ａ及び１３８ｂを有する本体１３２と、該本体の内部において複数のカード体を積み重ねて載置する可動ベース１４０と、該可動ベースを保持すると共に本体１３２の対向する側面からそれぞれ２つの縦長孔１３８ａ，１３８ｂを通して外側に突出するように配設された２本のシャフト１４２ａ及び１４２ｂを有している。なお、１３４はカセットドア、１３６ａ及び１３６ｂはカセットドア１３４を本体１３２に取り外し自在に固定するためのシャフト、１４４はカセット１３０をリフト手段に装着した時にそのリフト動作をスタンバイ状態とするためのスイッチプレートを示す。
【００１０】
また、図４において、右側に示す部分はリフト手段に相当し、このリフト手段は、カセット１３０が装着された時に２本のシャフト１４２ａ，１４２ｂの各々の端部が嵌合する溝部１２８がそれぞれ対向する側壁部の内面に水平方向に形成されたリフト用フレーム１２６と、該フレームの対向する側壁部にそれぞれ固定され、上方向に延びる２本のフレキシブルラック１１０と、該２本のフレキシブルラックに係合してリフト用フレーム１２６を上方に移動させるリフト駆動機構とを有している。このリフト駆動機構は、リフト用モータ１１２と、該モータの駆動軸に固定されたギヤ機構（図示せず）と、２本のフレキシブルラック１１０に係合するギヤ機構（ピニオンギヤ１５０、押さえ用ローラ１５２等）と、前者のギヤ機構の後者のギヤ機構に対する噛み合い及びその解除を操作するためのレバー１１６とを有している。なお、１４６はフレキシブルラック１１０をリフト用フレーム１２６に固定するためのステー、１４８はリフト手段のベースプレートを示す。
【００１１】
図５はリフト手段を構成するリフト駆動機構の要部の構成を示したもので、１５４はリフト用モータ１１２の駆動軸に固定された歯数３０のスパーギヤ、１５６はスパーギヤ１５４と噛み合う歯数４０のスパーギヤを示す。このスパーギヤ１５６はピニオンギヤ１５０と同じ軸に固定され、ピニオンギヤ１５０はフレキシブルラック１１０と噛み合っており、このフレキシブルラック１１０を間に挟むようにしてピニオンギヤ１５０との間に押さえ用ローラ１５２が配設されている。なお、図５に示される矢印は、フレキシブルラック１１０の上下方向の移動の様子を表している。
【００１２】
図６は吸引手段と送り出し手段の構成を概略的に示したもので、図中、１１８で示すファン装置（吸着用ファンモータ）が吸引手段を構成している。また、送り出し手段は、ファン装置１１８に吸着されたカード体Ｃの上面に当接して当該カード体を払い出し口の方向に移動させるゴム製のタイヤ１６０と、該タイヤにより移動されてきた当該カード体を上面及び下面から挟み込んで払い出し口に送り出す１対のローラ（払い出しローラ１２２及び払い出し補助ローラ１２２ａ）と、払い出し補助ローラ１２２ａに当接し、当該カード体が払い出し口の方向に移動される時に当該カード体の下面に接触する反転ローラ１６２と、タイヤ１６０及び払い出しローラ１２２を同じ方向に回転駆動する手段（払い出しローラ駆動モータ１２０及びベルト１６４）とを有している。
【００１３】
なお、吸引手段と送り出し手段の形態については、本件出願人が以前に提案した技術、例えば特開平１０−１２３５号公報に記載された技術を用いて実施することができる。但し、この公報に記載された技術では、本発明と異なり、折り曲げ自在の紙幣やたわみ易い切符、テレフォンカード等の比較的薄いシート体を払い出すことを意図としており、また、最終的にシート体を外部に送り出す際には当該シート体を両面から挟んで送り出す１対のローラ（本実施形態における払い出しローラ１２２及び払い出し補助ローラ１２２ａ）のみが用いられており、反転ローラ１６２に相当するものは設けられていない。本実施形態において、この反転ローラ１６２は、カード体が払い出される際に２枚目のカード体が送り出されるのを防止する機能を有している。
【００１４】
また、図６において、１６６はマイクロスイッチを示し、カセット１３０をリフト手段に装着した時にそのリフト動作をスタンバイ状態とするためのスイッチプレート１４４（図４参照）によって起動する。また、１６８はファン装置１１８に吸着されるべき最も上のカード体Ｃが所定の位置に到達した時にリフト用モータ１１２の動作を停止させるアクチュエータ型光スイッチ（フォトセンサ及びフォトインタラプタ）を示す。さらに、図示はしていないが、払い出されるべきカード体Ｃが払い出しローラ１２２及び払い出し補助ローラ１２２ａの間に挟み込まれた時にファン装置１１８の吸着動作を停止させるアクチュエータ型光スイッチが当該ローラ１２２，１２２ａの近傍に設けられている。なお、１７０は固定部材１２４によって固定された制御基板を示す。
【００１５】
以上説明したように、本実施形態に係るカード体の払い出し装置の構成によれば、リフト手段（フレキシブルラック１１０、モータ１１２、リフト用フレーム１２６、溝部１２８、可動ベース１４０、シャフト１４２ａ，１４２ｂ、ピニオンギヤ１５０、押さえ用ローラ１５２）によって上方に移送される複数のカード体のうち最も上のカード体Ｃを上から吸着し、送り出し手段（タイヤ１６０、１対のローラ１２２，１２２ａ、反転ローラ１６２、駆動モータ１２０、ベルト１６４）によって払い出し口の方向に送り出すようにしているので、当該カード体Ｃを損傷することなく確実に１枚ずつ払いだすことができる。
【００１６】
また、図４に示されるようにカセット１３０がリフト手段に対して着脱自在となっているので、例えばカード体の種類や大きさ等を変更したい場合にはその変更に応じた別のカセットを予め準備しておくことで、簡単に且つ短時間にカセット内に多数のカード体を積載し収納することができる。これによって、管理上の利便性を図ることが可能となる。
以上説明したように本発明によれば、透明なフィルムで包装されたＩＣカード等のやや厚めのカード体を損傷することなく確実に１枚ずつ払い出すことができると共に、多数のカード体を簡単に且つ短時間に積載及び収納可能とし、管理上の利便性を図ることが可能となる。
【図面の簡単な説明】
【００１７】
【図１】本発明の一実施形態に係るカード体の払い出し装置の外観構成を示す斜視図である。
【図２】の装置の内部構成を一部切り欠いて概略的に示した斜視図である。
【図３】の装置からカセットを取り外した状態を示す図である。
【図４】カセットとリフト手段の構成を概略的に示した斜視図である。
【図５】リフト手段を構成するリフト駆動機構の要部の構成を示す図である。
【図６】吸引手段と送り出し手段の構成を概略的に示した側面図である。
【符号の説明】
【００１８】
Ｃ…カード体
１００…カード体の払い出し装置
１１０…フレキシブルラック
１１２…リフト用モータ
１２６…リフト用フレーム
１２８…溝部
１３０…カセット
１４０…可動ベース
１４２ａ，１４２ｂ…シャフト
１５０…ピニオンギヤ
１５２‥‥押さえ用ローラ
【図１】
2007031161.tif 000003
【図２】
2007031161.tif 000004
【図３】
2007031161.tif 000005
【図４】
2007031161.tif 000006
【図５】
2007031161.tif 000007
【図６】
2007031161.tif 000008